(57)【特許請求の範囲】
【請求項１】
ペアとなる雄継手（１１）と雌継手（２１）との継ぎ合わせによって、装飾フレーム（０６）を所望の形状に組み立ててなることを特徴とする、便利で素早く継ぎ合わせられる組立体であって、
前記雄継手（１１）には、抜け止めフランジ（１３）を有する凸部（１２）が設けられ、前記雌継手（２１）には、内壁に抜け止め溝（２３）を有する凹部（２２）が設けられ、
前記凸部（１２）が前記凹部（２２）に挿入され、且つ、前記抜け止めフランジ（１３）が前記抜け止め溝（２３）に位置することで、前記雄継手（１１）と前記雌継手（２１）が継ぎ合わされ、
前記凸部（１２）には位置決め突起（１４）が設けられ、前記凹部（２２）の内壁には位置決め溝（２４）が設けられ、前記雄継手（１１）と雌継手（２１）が継ぎ合わされると、前記位置決め突起（１４）が前記位置決め溝（２４）内に位置し、
前記雄継手（１１）は、上下２枚の平行な横板と、前記横板と直交する方向に前記２枚の横板を連結する縦板とを備えてコの字状となり、前記２枚の横板の外面にはそれぞれ前記抜け止めフランジ（１３）と前記位置決め突起（１４）が設けられており、前記抜け止めフランジ（１３）は、前記横板の第１の方向に延び、かつ前記横板と前記縦板とが交差する稜線に平行であり、前記位置決め突起（１４）は、前記横板の前記第１の方向と直交する第２の方向に延びており、
前記雌継手（２１）は、上下２枚の平行な横板と、前記横板と直交する方向に前記２枚の横板を連結する縦板とを備えてコの字状となり、前記２枚の横板の内面にはそれぞれ前記抜け止めフランジ（１３）及び前記位置決め突起（１４）に適合する前記抜け止め溝（２３）及び前記位置決め溝（２４）が設けられている、
ことを特徴とする、便利で素早く継ぎ合わせられる組立体。
【請求項２】
前記雄継手（１１）は雄連結部材（０１Ａ,０１Ｂ,０１Ｃ,０１Ｄ）に設けられ、前記雌継手（２１）は雌連結部材（０２Ａ,０２Ｂ,０２Ｃ,０２Ｄ）に設けられることを特徴とする請求項１に記載の便利で素早く継ぎ合わせられる組立体。
【請求項３】
前記雄連結部材と前記雌連結部材はそれぞれ隣り合う両装飾フレームに取り付けられ、前記雄連結部材の雄継手と前記雌連結部材の雌継手との継ぎ合わせによって、隣り合う両装飾フレームが組み立てられることを特徴とする請求項２に記載の便利で素早く継ぎ合わせられる組立体。
【請求項４】
隣り合う両装飾フレームのそれぞれには前記雄連結部材が取り付けられ、アダプターと前記雄連結部材との継ぎ合わせによって、隣り合う両装飾フレームが組み立てられ、
前記アダプターは二つの前記雌継手を有し、
前記アダプターの二つの雌継手がそれぞれ前記雄連結部材の雄継手と継ぎ合わされることで、隣り合う両装飾フレームが組み立てられることを特徴とする請求項２に記載の便利で素早く継ぎ合わせられる組立体。
【請求項５】
隣り合う両装飾フレーム（０６）のそれぞれには前記雌連結部材（０２Ａ）が取り付けられ、アダプター（０３Ａ）と前記雌連結部材（０２Ａ）との継ぎ合わせによって、隣り合う両装飾フレームが組み立てられ、
前記アダプターは二つの前記雄継手を有し、
前記アダプターの二つの雄継手がそれぞれ前記雌連結部材の雌継手と継ぎ合わされることで、隣り合う両装飾フレームが組み立てられることを特徴とする請求項２に記載の便利で素早く継ぎ合わせられる組立体。
【請求項６】
前記雄連結部材と前記雌連結部材はそれぞれ隣り合う両装飾フレームに取り付けられ、
アダプターと前記雄連結部材及び前記雌連結部材との継ぎ合わせによって、隣り合う両装飾フレームが組み立てられ、
前記アダプターは雄継手と雌継手とを有し、
前記アダプターの雄継手と前記雌連結部材の雌継手とが継ぎ合わされ、前記アダプターの雌継手と前記雄連結部材の雄継手とが継ぎ合わされることを特徴とする請求項２に記載の便利で素早く継ぎ合わせられる組立体。
【請求項７】
前記アダプターはヒンジ状を呈することを特徴とする請求項４〜６のいずれか一つに記載の便利で素早く継ぎ合わせられる組立体。
【請求項８】
前記雄連結部材及び/又は雌連結部材は、直板形、折り曲げ形、丸めた角形のうちのいずれか一つであることを特徴とする請求項２〜６のいずれか一つに記載の便利で素早く継ぎ合わせられる組立体。
【請求項９】
前記アダプターは、直板形、折り曲げ形、丸めた角形のうちのいずれか一つであることを特徴とする請求項４〜６のいずれか一つに記載の便利で素早く継ぎ合わせられる組立体。
【請求項１０】
前記雄連結部材及び/又は雌連結部材には、付属品が設けられ又は付いていることを特徴とする請求項２に記載の便利で素早く継ぎ合わせられる組立体。
【請求項１１】
ペアとなる雄継手と雌継手により前記装飾フレームと組み立てられる支持体を備えることを特徴とする請求項１に記載の便利で素早く継ぎ合わせられる組立体。
【請求項１２】
前記支持体（０５Ａ）は支柱状を呈し、前記装飾フレーム（０６）は放射状に支柱状の前記支持体（０５Ａ）の周りに組み立てられることを特徴とする請求項１１に記載の便利で素早く継ぎ合わせられる組立体。
【請求項１３】
前記支持体（０５Ａ）の下端は、回転可能に台座（５１）に連結されることを特徴とする請求項１２に記載の便利で素早く継ぎ合わせられる組立体。
【請求項１４】
前記支持体（０５Ｂ）は花瓶状を呈し、前記装飾フレームは支持体の間に組み立てられることを特徴とする請求項１１に記載の便利で素早く継ぎ合わせられる組立体。
【請求項１５】
前記支持体（０５Ｂ）は、対応するアダプターによって継ぎ合わされることを特徴とする請求項１４に記載の便利で素早く継ぎ合わせられる組立体。
【発明の詳細な説明】
【技術分野】
【０００１】
本発明は、展示、展覧分野に関し、具体的には便利で素早く継ぎ合わせられる組立体に関する。
【背景技術】
【０００２】
従来の装飾フレーム（例えば、写真用額縁、絵画用額縁、展示用額縁など）は、その規格及び寸法にかかわらず、一旦製作が完成すると、その形状は再び変形することができない。しかし、ある展示、展覧の空間では、不規則な場所がよく存在し、このような場所に適応するためには、装飾フレームは不規則な場所に応じて製造される必要があり、輸送や配置にとって不便になる。また、装飾フレームを小さい規格に製造する場合、逐一に配置して取り付けなければならず、お互いの間の関連性に欠け、装着には不便である。
【発明の概要】
【発明が解決しようとする課題】
【０００３】
本発明は、輸送が便利で、且つ現場の需要に応じて柔軟に配置できる、便利で素早く継ぎ合わせられる組立体を提供することを目的とする。
【課題を解決するための手段】
【０００４】
前述した目的を達成するために、本発明における便利で素早く継ぎ合わせられる組立体は、ペアとなる雄継手と雌継手との継ぎ合わせによって、装飾フレームを所望の形状に組み立ててなるものである。
【０００５】
本発明の好ましい技術案において、前記雄継手には、抜け止めフランジを有する凸部が設けられ、前記雌継手には、内壁に抜け止め溝を有する凹部が設けられ、前記凸部が前記凹部に挿入され、且つ、前記抜け止めフランジが前記抜け止め溝に位置することで、前記雄継手と前記雌継手が継ぎ合わされる。更に、前記凸部には位置決め突起が設けられ、前記凹部の内壁には位置決め溝が設けられ、前記雄継手と雌継手が継ぎ合わされると、前記位置決め突起が前記位置決め溝内に位置する。
【０００６】
また、本発明の好ましい技術案において、前記雄継手は雄連結部材に設けられ、前記雌継手は雌連結部材に設けられる。具体的に、前記雄連結部材と前記雌連結部材はそれぞれ隣り合う両装飾フレームに取り付けられ、雄連結部材の雄継手と雌連結部材の雌継手との継ぎ合わせによって、隣り合う両装飾フレームが組み立てられる。又は、隣り合う両装飾フレームのそれぞれには前記雄連結部材が取り付けられ、アダプターと前記雄連結部材との継ぎ合わせによって、隣り合う両装飾フレームが組み立てられ、前記アダプターは二つの前記雌継手を有し、前記アダプターの二つの雌継手がそれぞれ前記雄連結部材の雄継手と継ぎ合わされることで、隣り合う両装飾フレームが組み立てられる。又は、隣り合う両装飾フレームのそれぞれには前記雌連結部材が取り付けられ、アダプターと前記雌連結部材との継ぎ合わせによって、隣り合う両装飾フレームが組み立てられ、前記アダプターは二つの前記雄継手を有し、前記アダプターの二つの雄継手がそれぞれ前記雌連結部材の雌継手と継ぎ合わされることで、隣り合う両装飾フレームが組み立てられる。特に、前記アダプターはヒンジ状を呈する。
【０００７】
また、本発明の好ましい技術案において、前記雄継手は雄連結部材に設けられ、前記雌継手は雌連結部材に設けられ、前記雄連結部材と前記雌連結部材はそれぞれ隣り合う両装飾フレームに取り付けられ、アダプターと前記雄連結部材及び前記雌連結部材との継ぎ合わせによって、隣り合う両装飾フレームが組み立てられ、前記アダプターは雄継手と雌継手とを有し、前記アダプターの雄継手と前記雌連結部材の雌継手とが継ぎ合わされ、前記アダプターの雌継手と前記雄連結部材の雄継手とが継ぎ合わされる。特に、前記アダプターはヒンジ状を呈する。
【０００８】
また、本発明の好ましい技術案において、前記雄連結部材及び/又は雌連結部材は、直板形、折り曲げ形、丸めた角形のうちのいずれか一つである。前記アダプターは、直板形、折り曲げ形、丸めた角形のうちのいずれか一つである。前記雄連結部材及び/又は雌連結部材には、付属品が設けられ又は付いている。
【０００９】
また、本発明の好ましい技術案において、該組立体は、ペアとなる雄継手と雌継手により前記装飾フレームと組み立てられる支持体を備える。具体的に、前記支持体は支柱状を呈し、前記装飾フレームは放射状に支柱状の前記支持体の周りに組み立てられる。更に、前記支持体の下端は、回転可能に台座に連結される。又は、前記支持体は花瓶状を呈し、前記装飾フレームは支持体の間に組み立てられる。更に、前記支持体は、対応するアダプターによって継ぎ合わされる。
【００１０】
前述した目的を達成するために、本発明における便利で素早く継ぎ合わせられる組立体は、アダプターによって、装飾フレームを所望の形状に組み立ててなるものであってもよい。
【００１１】
更に、前記アダプターは二つの挿し口を有し、隣り合う両装飾フレームの縁部は、それぞれ前記二つの挿し口内に配置されて組み立てられる。
【００１２】
本発明は、ペアとなる雄継手と雌継手との継ぎ合わせによって、装飾フレームを所望の形状に組み立てるため、現場の形状に応じて所望の形状に配置することができ、また、輸送の際に組立体を分解することができ、占める空間が小さくなる、という効果を奏する。
【図面の簡単な説明】
【００１３】
【図１】図１は、本発明における便利で素早く継ぎ合わせられる組立体の構成の模式図である。
【図２】図２は、本発明における便利で素早く継ぎ合わせられる組立体の他の構成の模式図である。
【図３】図３は、本発明における便利で素早く継ぎ合わせられる組立体の第三の構成の模式図である。
【図４】図４は、本発明における便利で素早く継ぎ合わせられる組立体の第四の構成の模式図である。
【図５】図５は、本発明における四種の異なる構成の雌連結部材のうちの一つの雌連結部材の模式図である。
【図６】図６は、本発明における四種の異なる構成の雌連結部材のうちの一つの雌連結部材の模式図である。
【図７】図７は、本発明における四種の異なる構成の雌連結部材のうちの一つの雌連結部材の模式図である。
【図８】図８は、本発明における四種の異なる構成の雌連結部材のうちの一つの雌連結部材の模式図である。
【図９】図９は、本発明における四種の異なる構成の雄連結部材のうちの一つの雄連結部材の模式図である。
【図１０】図１０は、本発明における四種の異なる構成の雄連結部材のうちの一つの雄連結部材の模式図である。
【図１１】図１１は、本発明における四種の異なる構成の雄連結部材のうちの一つの雄連結部材の模式図である。
【図１２】図１２は、本発明における四種の異なる構成の雄連結部材のうちの一つの雄連結部材の模式図である。
【図１３】図１３は、本発明における一種のアダプターの模式図である。
【図１４】図１４は、本発明における一種の付属品の模式図である。
【図１５】図１５は、本発明における花瓶状の支持体同士の継ぎ合わせの模式図である。
【図１６】図１６は、本発明における装飾フレームを所望の形状に組み立てるためのアダプターの三種の構成のうちの一つの構成の模式図である。
【図１７】図１７は、本発明における装飾フレームを所望の形状に組み立てるためのアダプターの三種の構成のうちの一つの構成の模式図である。
【図１８】図１８は、本発明における装飾フレームを所望の形状に組み立てるためのアダプターの三種の構成のうちの一つの構成の模式図である。
【発明を実施するための形態】
【００１４】
以下、図面を参照しながら本発明について更に説明する。
【００１５】
本発明における便利で素早く継ぎ合わせられる組立体は、ペアとなる雄継手と雌継手との継ぎ合わせによって、装飾フレームを所望の形状に組み立ててなるものである。例えば、図１には正六角形、図２には縦の壁状、図３には放射状、図４には回転可能なものが示されている。図１〜４に示された組立体はいずれも直立放置可能で、組み立てが便利なものであり、空間、場所に応じて設置することができる。具体的に実施する際には、単独で、あるいは吸盤０７などの道具を介して、組立体全体を平坦な壁面（例えば、ガラス壁面、大理石壁面など、図２を参照）に吸着させることで、壁面への設置および安定性の向上を図る。上記の各種の形状や構造形態の組立体は、継ぎ合わせによって装飾フレームを組み立てることができるため、現場の形状に応じて所望の形状に配置することができ、また、輸送の際に組立体を分解することができ、占める空間が小さくなる。
【００１６】
上記の技術案に対する更なる補足や補充として、本発明はさらに以下の各段落に記述する技術的特徴を含む。本発明を実施する際には、下記の技術的特徴をその具体的な役割に応じて、本発明の技術案に選択的に適用することができる。
【００１７】
まず、図９〜１２に示すように、雄継手１１には凸部１２が設けられ、凸部１２には抜け止めフランジ１３が設けられている。図５〜８に示すように、雌継手２１には凹部２２が設けられ、凹部２２の内壁には抜け止め溝２３が設けられている。凸部１２が凹部２２に挿入され、且つ、抜け止めフランジ１３が抜け止め溝２３に位置することで、雄継手と雌継手とが継ぎ合わされる。更に、図９〜１２に示すように、凸部１２には位置決め突起１４が設けられ、図５〜８に示すように、凹部２２の内壁には位置決め溝２４が設けられ、雄継手１１と雌継手２１とが継ぎ合わされると、位置決め突起１４が位置決め溝２４内に位置することになり、継ぎ合わせ時の揃えが便利になる。継ぎ合わされた後は、位置決め突起及び位置決め溝の横方向からの外力に耐えられ、継ぎ合わせに適する雄継手と雌継手はさまざまな姿勢で連結される。
【００１８】
次に、雄継手１１は雄連結部材０１Ａ,０１Ｂ,０１Ｃ,０１Ｄに設けられ、雌継手２１は雌連結部材０２Ａ,０２Ｂ,０２Ｃ,０２Ｄに設けられる。その場合、以下のような形態で装飾フレームを組み立てることが考えられる。即ち、第一の形態としては、雄連結部材と雌連結部材はそれぞれ隣り合う両装飾フレームに取り付けられ、雄連結部材の雄継手と雌連結部材の雌継手との継ぎ合わせによって、隣り合う両装飾フレームが組み立てられることが考えられる。第二の形態としては、隣り合う両装飾フレームのそれぞれには雄連結部材が取り付けられ、アダプターと雄連結部材との継ぎ合わせによって、隣り合う両装飾フレームが組み立てられ、アダプターは二つの雌継手を有し、アダプターの二つの雌継手がそれぞれ雄連結部材の雄継手と継ぎ合わされることで、隣り合う両装飾フレームが組み立てられることが考えられる。該アダプターの構造形態については、例えば雌連結部材を参照できる。第三の形態としては、隣り合う両装飾フレーム０６のそれぞれには雌連結部材０２Ａが取り付けられ、アダプター０３Ａと雌連結部材０２Ａとの継ぎ合わせによって、隣り合う両装飾フレームが組み立てられ、アダプター０３Ａは二つの雄継手１１を有し、アダプターの二つの雄継手がそれぞれ雌連結部材の雌継手と継ぎ合わされることで、隣り合う両装飾フレームが組み立てられることが考えられる（図１を参照）。該アダプターの構造形態については、例えば、雄連結部材を参照できる。第二、第三の形態において、アダプター０３Ｂはヒンジ状を呈してもよく、これにより、該アダプターによる両装飾フレームの相対回転が可能になる（図４を参照）。
【００１９】
また、雄継手は雄連結部材に設けられ、雌継手は雌連結部材に設けられ、雄連結部材と雌連結部材はそれぞれ隣り合う両装飾フレームに取り付けられ、アダプターと雄連結部材及び雌連結部材との継ぎ合わせによって、隣り合う両装飾フレームが組み立てられ、アダプターは雄継手と雌継手を有し、アダプターの雄継手と雌連結部材の雌継手とが継ぎ合わされ、アダプターの雌継手と雄連結部材の雄継手とが継ぎ合わされる。更に、アダプターはヒンジ状を呈してもよく、これにより、該アダプターによる両装飾フレームの相対回転が可能になる（図４を参照）。
【００２０】
また、雄連結部材及び/又は雌連結部材は、直板形（図５、図６、図９を参照）、折り曲げ形（図１２を参照）、丸めた角形（図７〜８、１０〜１１を参照）のうちのいずれか一つである。アダプターは直板形、折り曲げ形、丸めた角形のうちのいずれか一つである。これにより、さまざまな形状に継ぎ合わせて組み立てることができる。
【００２１】
また、雄連結部材及び/又は雌連結部材には、付属品が設けられている。或いは、雄連結部材及び/又は雌連結部材には、付属品０４が付いている。図１４に示す付属品は、雌連結部材と継ぎ合わされる引っ掛けであり、バスケットなどを掛けるものである。具体的に実施する際、付属品は、他の形状、構造形態であってもよく、雄連結部材と継ぎ合わせてもよい。
【００２２】
また、該組立体は、ペアとなる雄継手と雌継手により装飾フレームと組み立てられる支持体を備える。具体的に、支持体０５Ａは支柱状を呈し、装飾フレーム０６は放射状に支柱状の支持体０５Ａの周りに組み立てられてもよい（図３を参照）。更に、支持体０５Ａの下端は、回転可能に台座５１に連結される。これによって、観賞のために、支持体によって支持体の上に取り付けられた装飾フレームをつれて回転させることができる。支持体０５Ｂは花瓶状を呈し、装飾フレーム０６は支持体の間に組み立てられてもよい（図２を参照）。更に、花瓶状の支持体は、対応するアダプターによって継ぎ合わされてもよい。
【００２３】
本発明における便利で素早く継ぎ合わせられる組立体は、アダプターによって装飾フレームを所望の形状に組み立ててもよい。更に、アダプター（図１６〜１８を参照）は二つの挿し口を有し、隣り合う両装飾フレームの縁部は、それぞれ上記の二つの挿し口内に配置されて組み立てられる。
【００２４】
本発明は、多種の異なる形態で構成された雄連結部材、雌連結部材及びアダプターを示したが、それらの形態は、本発明における雄連結部材、雌連結部材の変形方式を示唆している。したがって、具体的に実施する際、必要に応じて更に多い形態で雄連結部材、雌連結部材を製造することができる。上記の装飾フレームは、図面において矩形に示されているが、具体的に実施する際には、他の形状、例えば平行四辺形や、三角形や、正五角形や、正六角形などに形成されてもよく、複数の形状の組み合わせであってもよい。継ぎ合わせによって装飾フレーム（他の装飾部材も含む）を所望の形状に組み立てるものであれば、何れも本発明の請求の範囲内のものに該当する。
【符号の説明】
【００２５】
０１Ａ,０１Ｂ,０１Ｃ,０１Ｄ    雄連結部材
１１    雄継手
１２    凸部
１３    抜け止めフランジ
１４    位置決め突起
０２Ａ,０２Ｂ,０２Ｃ,０２Ｄ    雌連結部材
２１    雌継手
２２    凹部
２３    抜け止め溝
２４    位置決め溝
０３Ａ,０３Ｂ,０３Ｃ,０３Ｄ,０３Ｅ    アダプター
３１    挿し口
０４    付属品
０５Ａ,０５Ｂ    支持体
５１    台座
０６    装飾フレーム
０７    吸盤
【図１】
0006466938.tif 000002
【図２】
0006466938.tif 000003
【図３】
0006466938.tif 000004
【図４】
0006466938.tif 000005
【図５】
0006466938.tif 000006
【図６】
0006466938.tif 000007
【図７】
0006466938.tif 000008
【図８】
0006466938.tif 000009
【図９】
0006466938.tif 000010
【図１０】
0006466938.tif 000011
【図１１】
0006466938.tif 000012
【図１２】
0006466938.tif 000013
【図１３】
0006466938.tif 000014
【図１４】
0006466938.tif 000015
【図１５】
0006466938.tif 000016
【図１６】
0006466938.tif 000017
【図１７】
0006466938.tif 000018
【図１８】
0006466938.tif 000019